(57)【要約】【課題】押縁が収縮して押縁間に隙間が生じた場合に、隙間を目立たなくすることができ、押縁接合部の意匠性を向上できる押縁用接続部材および建具を提供すること。【解決手段】押縁用接続部材６０は、縦押縁４０Ｂおよび横押縁４０Ａの一方の押縁４０Ａの小口を他方の押縁４０Ｂの側面に突き合わせた接続部に設けられる。押縁用接続部材６０は、横押縁４０Ａの小口４３Ｂに当接される当接部６１と、一方の押縁４０Ａの中空部４３５に挿入されて固定される固定片部６２と、他方の押縁４０Ｂの見付面部４３を覆う被覆部６３とを備える。被覆部６３は、横押縁４０Ａの長手方向に対する傾斜角度が４５度である斜辺６３５を備える。被覆部６３は、押縁４０Ａ、４０Ｂが収縮した際に、各押縁４０Ａ、４０Ｂ間に生じる隙間を隠す壁部として機能する。【選択図】図５
2020020133.tif 000002
【特許請求の範囲】
【請求項１】
縦押縁および横押縁の一方の押縁の小口を他方の押縁の側面に突き合わせた接続部に設けられる押縁用接続部材であって、
前記一方の押縁の小口に当接される当接部と、
前記一方の押縁の中空部に挿入されて固定される固定片部と、
前記他方の押縁の見付面を覆う被覆部と、を備え、
前記被覆部は、前記一方の押縁の長手方向に対する傾斜角度が４５度である斜辺を備え、前記各押縁が収縮した際に、前記各押縁間に生じる隙間を隠す壁部として機能する
ことを特徴とする押縁用接続部材。
【請求項２】
長手方向の端部を４５度の角度で切断した小口に開口する中空部を備える縦押縁および横押縁の接続部に設けられる押縁用接続部材であって、
前記縦押縁および前記横押縁の小口間に介在される傾斜面板部と、
前記縦押縁および前記横押縁の一方の押縁の中空部に挿入されて固定される固定片部と、
前記縦押縁および前記横押縁の他方の押縁の中空部に挿入される挿入部と、を備え、
前記挿入部は、前記各押縁が収縮した際に、前記傾斜面板部と前記他方の押縁の小口との間に生じる隙間を隠す壁部として機能する
ことを特徴とする押縁用接続部材。
【請求項３】
縦押縁および横押縁の一方の押縁の小口を他方の押縁の側面に突き合わせた接続部に設けられる押縁用接続部材であって、
前記一方の押縁の小口に当接される当接部と、
前記一方の押縁に形成された係止溝に係止される係止部と、
前記他方の押縁の見付面を覆う被覆部と、を備え、
前記被覆部は、前記一方の押縁の長手方向に対する傾斜角度が４５度である斜辺を備え、前記各押縁が収縮した際に、前記各押縁間に生じる隙間を隠す壁部として機能する
ことを特徴とする押縁用接続部材。
【請求項４】
建具枠と、
前記建具枠内に配置される面材と、
前記建具枠に取り付けられて前記面材を押さえる縦押縁および横押縁と、
押縁用接続部材と、を備え、
前記建具枠は、上枠、下枠および左右の縦枠で構成され、前記各枠の小口は４５度の角度で切断されて突き合わせされて接合され、
前記縦押縁および前記横押縁は、長手方向に連続する中空部を備え、かつ、一方の押縁の小口を他方の押縁の側面に突き合わせて接続され、
前記押縁用接続部材は、
前記一方の押縁の小口に当接される当接部と、
前記一方の押縁の中空部に挿入されて固定される固定片部と、
前記他方の押縁の見付面を覆う被覆部と、を備え、
前記被覆部は、前記一方の押縁の長手方向に対する傾斜角度が４５度である斜辺を備え、前記各押縁が収縮した際に、前記各押縁間に生じる隙間を隠す壁部として機能する
ことを特徴とする建具。
【請求項５】
建具枠と、
前記建具枠内に配置される面材と、
前記建具枠に取り付けられて前記面材を押さえる縦押縁および横押縁と、
押縁用接続部材と、を備え、
前記建具枠は、上枠、下枠および左右の縦枠で構成され、前記各枠の小口は４５度の角度で切断されて突き合わせされて接合され、
前記縦押縁および前記横押縁は、長手方向に連続する中空部を備え、かつ、長手方向の端部の小口は長手方向に対して４５度の角度で切断され、
前記押縁用接続部材は、
前記縦押縁および前記横押縁の小口間に介在される傾斜面板部と、
前記縦押縁および前記横押縁の一方の押縁の中空部に挿入して固定される固定片部と、
前記縦押縁および前記横押縁の他方の押縁の中空部に挿入される挿入部と、を備え、
前記挿入部は、前記各押縁が収縮した際に、前記傾斜面板部と前記他方の押縁の小口との間に生じる隙間を隠す壁部として機能する
ことを特徴とする建具。
【請求項６】
建具枠と、
前記建具枠内に配置される面材と、
前記建具枠に取り付けられて前記面材を押さえる縦押縁および横押縁と、
押縁用接続部材と、を備え、
前記建具枠は、上枠、下枠および左右の縦枠で構成され、前記各枠の小口は４５度の角度で切断されて突き合わせされて接合され、
前記縦押縁および前記横押縁は、一方の押縁の小口を他方の押縁の側面に突き合わせて接続され、
前記押縁用接続部材は、
前記一方の押縁の小口に当接される当接部と、
前記一方の押縁に形成された係止溝に係止される係止部と、
前記他方の押縁の見付面を覆う被覆部と、を備え、
前記被覆部は、前記一方の押縁の長手方向に対する傾斜角度が４５度である斜辺を備え、前記各押縁が収縮した際に、前記各押縁間に生じる隙間を隠す壁部として機能する
ことを特徴とする建具。
【請求項７】
請求項４から請求項６のいずれか一項に記載の建具において、
前記縦押縁および前記横押縁は長手方向の長さ寸法が異なり、
前記押縁用接続部材は、前記縦押縁および前記横押縁のうち、長手方向の長さ寸法が短い押縁に取り付けられる
ことを特徴とする建具。
【発明の詳細な説明】
【技術分野】
【０００１】
本発明は、建具枠に取り付けられる押縁の接合部に設けられる押縁用接続部材、および、この押縁用接続部材を用いた建具に関する。
【背景技術】
【０００２】
窓枠や障子枠などの建具枠と、建具枠に取り付けた押縁とで、ガラス等の面材を挟持する建具において、合成樹脂製の押縁が外気温の変化によって伸縮した際に、押縁の突き合わせ部に生じた隙間が外部に露出することを防止する構造が知られている（例えば、特許文献１）。
特許文献１の建具は、例えば、窓正面側から見た形状がＬ形のブロック状のコーナー部品を設け、縦押縁および横押縁の長手方向両端部をコーナー部品内に挿入して隠すことで、縦押縁や横押縁が収縮して隙間が生じても、その隙間が室外側に露出することを防止している。
【先行技術文献】
【特許文献】
【０００３】
【特許文献１】特開２００８−８２０６６号公報
【発明の概要】
【発明が解決しようとする課題】
【０００４】
しかしながら、特許文献１の構造では、建具枠の枠材を、４５度に切断された小口同士を突き合わせて溶着した「留め」と呼ばれる納まりで構成した場合に、押縁の接合部にはＬ形のコーナー部品が露出するため、建具枠の接合部分と異なる外観となり、サッシ全体の意匠性向上の制約となっていた。
本発明の目的は、押縁が収縮して押縁間に隙間が生じた場合に、その隙間を目立たなくすることができて、押縁接合部の意匠性を向上できる押縁用接続部材および建具を提供することにある。
【課題を解決するための手段】
【０００５】
本発明の押縁用接続部材は、縦押縁および横押縁の一方の押縁の小口を他方の押縁の側面に突き合わせた接続部に設けられる押縁用接続部材であって、前記一方の押縁の小口に当接される当接部と、前記一方の押縁の中空部に挿入されて固定される固定片部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
【０００６】
本発明の押縁用接続部材は、長手方向の端部を４５度の角度で切断した小口に開口する中空部を備える縦押縁および横押縁の接続部に設けられる押縁用接続部材であって、前記縦押縁および前記横押縁の小口間に介在される傾斜面板部と、前記縦押縁および前記横押縁の一方の押縁の中空部に挿入されて固定される固定片部と、前記縦押縁および前記横押縁の他方の押縁の中空部に挿入される挿入部と、を備え、前記挿入部は、前記各押縁が収縮した際に、前記傾斜面板部と前記他方の押縁の小口との間に生じる隙間を隠す壁部として機能することを特徴とする。
【０００７】
本発明の押縁用接続部材は、縦押縁および横押縁の一方の押縁の小口を他方の押縁の側面に突き合わせた接続部に設けられる押縁用接続部材であって、前記一方の押縁の小口に当接される当接部と、前記一方の押縁に形成された係止溝に係止される係止部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
【０００８】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、一方の押縁の小口を他方の押縁の側面に突き合わせて接続され、前記押縁用接続部材は、前記一方の押縁の小口に当接される当接部と、前記一方の押縁の中空部に挿入されて固定される固定片部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
【０００９】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、長手方向の端部の小口は長手方向に対して４５度の角度で切断され、前記押縁用接続部材は、前記縦押縁および前記横押縁の小口間に介在される傾斜面板部と、前記縦押縁および前記横押縁の一方の押縁の中空部に挿入して固定される固定片部と、前記縦押縁および前記横押縁の他方の押縁の中空部に挿入される挿入部と、を備え、前記挿入部は、前記各押縁が収縮した際に、前記傾斜面板部と前記他方の押縁の小口との間に生じる隙間を隠す壁部として機能することを特徴とする。
【００１０】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、一方の押縁の小口を他方の押縁の側面に突き合わせて接続され、前記押縁用接続部材は、前記一方の押縁の小口に当接される当接部と、前記一方の押縁に形成された係止溝に係止される係止部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
【発明の効果】
【００１１】
本発明の押縁用接続部材および建具によれば、押縁が収縮して押縁間に隙間が生じた場合に、その隙間を目立たなくすることができて、押縁接合部の意匠性を向上できる。
【図面の簡単な説明】
【００１２】
【図１】本発明の第１実施形態に係る建具を示す外観姿図。
【図２】第１実施形態に係る建具を示す縦断面図。
【図３】第１実施形態に係る建具を示す横断面図。
【図４】第１実施形態の押縁を示す縦断面図。
【図５】第１実施形態の押縁用接続部材を示す斜視図。
【図６】（Ａ）は第１実施形態の縦押縁および横押縁の接合部を室外側から見た図であり、（Ｂ）は縦押縁および横押縁の収縮時の状態を示す図。
【図７】本発明の第２実施形態に係る建具を示す外観姿図。
【図８】第２実施形態の押縁用接続部材を示す斜視図。
【図９】第２実施形態の押縁用接続部材を示す斜視図。
【図１０】（Ａ）は第２実施形態の縦押縁および横押縁の接合部を室外側から見た図であり、（Ｂ）は縦押縁および横押縁の収縮時の状態を示す図。
【図１１】第３実施形態の押縁用接続部材を示す斜視図。
【図１２】第３実施形態の押縁用接続部材を示す斜視図。
【図１３】（Ａ）は第３実施形態の縦押縁および横押縁の接合部を室外側から見た図であり、（Ｂ）は縦押縁および横押縁の収縮時の状態を示す図。
【発明を実施するための形態】
【００１３】
［第１実施形態］
以下、本発明の第１実施形態を図面に基づいて説明する。
図１〜３に示すように、第１実施形態に係る建具である嵌め殺し窓１は、窓枠（フレーム）２と、建具枠である窓枠２内に組み込まれる面材３と、押縁４０と、押縁用接続部材６０とを備えている。本実施形態の面材３は、３枚のガラスを備えたトリプルガラスであるが、２枚のガラスを備える複層ガラスでもよいし、単板ガラスでもよい。
窓枠２は、上枠２１、下枠２２および左右の縦枠２３を四周枠組みすることで構成される。上枠２１、下枠２２、縦枠２３は、図２，３に示すように、同一断面形状の合成樹脂製の押出形材２５で構成されている。なお、本実施形態では、上枠２１、下枠２２が短辺、縦枠２３が長辺の窓枠２とされている。
押出形材２５は、面材３の室内面に対向した室内見付片部２５１（見付片部）と、室内見付片部２５１に連続した見込片部２５２とを有している。室内見付片部２５１には、面材３の室内面に当接するガスケット２６が装着されている。見込片部２５２の室外側端部には、面材３の室外面を押える押縁４０が係合する係合溝２５３が形成されている。
上枠２１、下枠２２、縦枠２３の長手方向の端部（小口）は、前記長手方向に対して４５度の角度で切断され、各小口同士を突き合わせて溶着することで四周枠組みされている。
【００１４】
押縁４０は、上枠２１、下枠２２に取り付けられる場合は横押縁４０Ａとなり、左右の縦枠２３に取り付けられる場合は縦押縁４０Ｂとなるが、構造は同じであるため、図４を参照して説明する。
押縁４０は、図４、５に示すように、ＰＶＣ（ポリ塩化ビニル）等の合成樹脂製押出形材で構成される押縁本体４１と、押縁本体４１に取り付けられて面材３の室外面に当接するゴム製のガスケット４５とを備えている。
押縁本体４１は、前記係合溝２５３に係合される係合片部４２と、面材３の室外側に配置される見付面部４３と、前記ガスケット４５が装着される装着部４４とを備える。
見付面部４３は、室外側に露出する表面部４３１と、表面部４３１に対して面材側に間隔を隔てて位置する裏面部４３２と、表面部４３１および裏面部４３２の係合片部４２側の端部を連結する基端部４３３と、表面部４３１および裏面部４３２の先端側を連結する先端部４３４とを備えている。表面部４３１および裏面部４３２は、基端部４３３から先端部４３４に向かうにしたがって、室内側つまり面材３側に近づくように湾曲されている。
見付面部４３には、表面部４３１、裏面部４３２、基端部４３３、先端部４３４で囲まれる中空部４３５が形成されている。中空部４３５は、押縁４０の長手方向全長に渡って連続して形成されており、押縁４０つまり見付面部４３の長手方向の両端部である小口で開口している。すなわち、見付面部４３の長手方向の両端部は、その長手方向に対して９０度に切断され、縦押縁４０Ｂの上下端部間に横押縁４０Ａが配置された縦勝ちの納まりとされている。
装着部４４は、先端部４３４の室内側に設けられた一対の保持片部４４１を備え、この保持片部４４１によってガスケット４５を保持している。係合片部４２は、基端部４３３から延出され、係合溝２５３に係合される。
表面部４３１および先端部４３４の表面には、フィルム４１１が積層されている。同様のフィルムは、上枠２１、下枠２２、縦枠２３の室外露出面にも積層されており、着色されたフィルム４１１を用いることで嵌め殺し窓１の外観の色や模様を自由に設定できる。
横押縁４０Ａおよび縦押縁４０Ｂの見付面部４３は、基端部４３３よりも先端部４３４が面材３側に位置するため、横押縁４０Ａの小口４３Ｂの一部は縦押縁４０Ｂで隠されずに露出する。この露出した小口４３Ｂに開口する中空部４３５に押縁用接続部材６０が取り付けられる。
【００１５】
押縁用接続部材６０は、前記横押縁４０Ａの小口４３Ｂに当接される当接部６１と、横押縁４０Ａの中空部４３５に圧入固定される固定片部６２と、縦押縁４０Ｂの見付面部４３を覆う被覆部６３とを備える。押縁用接続部材６０は、押縁４０の外観色（フィルム４１１の色）と同色の部品である。
当接部６１は、横押縁４０Ａの小口４３Ｂに当接され、横押縁４０Ａが縦押縁４０Ｂの側面に突き合わされた場合に露出する部分を被覆している。本実施形態では、当接部６１の平面形状は略三角形状とされ、当接部６１の室外辺６１１は、表面部４３１の室外縁に沿って形成され、窓枠２に接する底辺６１２は、基端部４３３に沿って形成され、室内辺６１３は縦押縁４０Ｂの表面部４３１と先端部４３４との交差部分に沿って配置可能な形状で形成されている。
固定片部６２は、横押縁４０Ａの小口４３Ｂに開口する中空部４３５内に挿入されて圧入により固定可能な形状とされている。
【００１６】
被覆部６３は、表面部６３１と、窓枠２の内周面に沿って設けられる底面部６３２と、縦押縁４０Ｂの表面部４３１に沿って設けられる裏面部６３３とを備え、略三角錐形状とされている。
被覆部６３の表面部６３１は、横押縁４０Ａの見付面部４３にほぼ連続するように設けられ、当接部６１に連続する辺（当接部６１の室外辺６１１と同じ）と、底面部６３２に連続する辺６３４と、これらの各辺６１１，６３４の端部を結ぶ斜辺６３５とを備える。辺６１１、６３４は同じ寸法とされ、かつ、各辺６１１，６３４は直交しているので、嵌め殺し窓１を室外側から見た際に、表面部６３１は直角二等辺三角形となるように形成されている。
このため、斜辺６３５は、横押縁４０Ａの長手方向（左右方向）に対する傾斜角度が４５度とされている。したがって、斜辺６３５は、縦押縁４０Ｂの長手方向（上下方向）に対する傾斜角度も４５度である。
【００１７】
次に、嵌め殺し窓１の組立手順について説明する。まず、上枠２１、下枠２２、縦枠２３の各小口を突き合わせて溶着などで固定して四周枠組みして窓枠２を組み立てる。また、ガスケット２６を室内見付片部２５１に取り付けておく。
次に、面材３を窓枠２内に配置し、横押縁４０Ａ、縦押縁４０Ｂを上枠２１、下枠２２、縦枠２３に取り付ける。横押縁４０Ａおよび縦押縁４０Ｂは、見付面部４３が基端部４３３から先端部４３４に向かうにしたがって室内側に傾くように湾曲（傾斜）しているため、横押縁４０Ａの小口４３Ｂを縦押縁４０Ｂの側面（先端部４３４）に突き合わせた際に、横押縁４０Ａと縦押縁４０Ｂとの間に段差が生じ、横押縁４０Ａの小口４３Ｂの一部が露出する。この小口４３Ｂに開口する中空部４３５に、押縁用接続部材６０の固定片部６２を挿入して圧入固定する。
これにより、図６（Ａ）に示すように、横押縁４０Ａおよび縦押縁４０Ｂの突き合わせ部は、押縁用接続部材６０の被覆部６３によって隠され、被覆部６３の斜辺６３５が、上枠２１、下枠２２と、縦枠２３との突き合わせ面（４５度の接合線）の延長線上に位置する。すなわち、斜辺６３５は、縦押縁４０Ｂの見付面部４３の外周側の隅角部と、横押縁４０Ａの見付面部４３の内周側の隅角部とを結ぶ線上に位置する。
なお、横押縁４０Ａに押縁用接続部材６０を予め固定しておき、縦押縁４０Ｂを縦枠２３に取り付けた後に、押縁用接続部材６０が固定された横押縁４０Ａを上枠２１、下枠２２に取り付けてもよい。
【００１８】
嵌め殺し窓１が設けられた環境で温度変化が生じたり、高温に曝されて押出時の残留応力の緩和が生じた場合でも、窓枠２は躯体に固定されているので、ほとんど伸縮しない。一方、各押縁４０Ａ，４０Ｂは、窓枠２に係合されているだけであり、各枠２１〜２３に対してその長手方向の移動が規制されていないため、熱伸縮する。
ここで、各押縁４０Ａ，４０Ｂが収縮した場合、図６（Ｂ）に示すように、押縁用接続部材６０は、横押縁４０Ａに圧入固定されているので、横押縁４０Ａの縮み量だけ縦押縁４０Ｂから離れる方向（左右方向）に移動する。また、縦押縁４０Ｂの小口４３Ｂも縦押縁４０Ｂの縮み量だけ上枠２１、下枠２２から離れる方向（上下方向）に移動する。
このため、各押縁４０Ａ、４０Ｂの間や、縦押縁４０Ｂと上枠２１、下枠２２との間に隙間が生じるが、この隙間部分には被覆部６３が配置され、被覆部６３が壁部として機能するので、隙間の大半を隠すことができる。なお、押縁４０Ａ、４０Ｂが元の寸法に戻れば、図６（Ａ）の状態に戻すことができる。
【００１９】
［第１実施形態の効果］
（１）嵌め殺し窓１は、上枠２１、下枠２２と、左右の縦枠２３との接合部分を４５度の小口を突き合わせた留めの納まりとし、縦押縁４０Ｂおよび横押縁４０Ａの接合部分に押縁用接続部材６０の斜辺６３５を配置したので、窓枠２と、横押縁４０Ａおよび縦押縁４０Ｂの角部の納まりの外観を共通にでき、意匠性を向上できる。
（２）押縁用接続部材６０は、横押縁４０Ａに固定され、縦押縁４０Ｂには固定されていないので、各押縁４０Ａ，４０Ｂの収縮を押縁用接続部材６０が規制することがなく、押縁４０Ａ，４０Ｂの収縮時に押縁４０Ａ、４０Ｂが破損したり窓枠２から外れることを防止できる。
（３）押縁用接続部材６０の被覆部６３は、各押縁４０Ａ、４０Ｂが収縮した際に発生する隙間を隠す壁部として機能するため、押縁４０Ａ，４０Ｂが収縮した際の隙間を目立たなくでき、この点でも意匠性を向上できる。
（４）窓枠２において、短辺側である上枠２１および下枠２２に取り付けられる横押縁４０Ａに押縁用接続部材６０を固定したので、横押縁４０Ａ、縦押縁４０Ｂの収縮時に押縁用接続部材６０が移動する移動量を小さくできる。このため、窓枠２の上枠２１、下枠２２と縦枠２３との接合ラインに対し、押縁用接続部材６０の斜辺６３５の位置ずれを小さくでき、意匠低下を抑制できる。
（５）横押縁４０Ａが収縮した場合、その小口４３Ｂが露出すると、フィルム４１１と異なる素材の基材色が露出して意匠性が低下するが、本実施形態では、横押縁４０Ａの小口４３Ｂを押縁用接続部材６０で隠しているので、横押縁４０Ａの小口４３Ｂが露出することを防止でき、意匠性の低下を防止できる。
（６）横押縁４０Ａ、縦押縁４０Ｂの外観色と、押縁用接続部材６０の色とを同一にしたので、横押縁４０Ａ、縦押縁４０Ｂの接合部分に押縁用接続部材６０が配置されていても統一感のある押縁構造とすることができ、意匠性を向上できる。
（７）押縁用接続部材６０は、横押縁４０Ａに固定できるので、押縁用接続部材６０を窓枠２に取り付ける必要が無く、横押縁４０Ａ、縦押縁４０Ｂの取付作業性の低下を防止できる。
【００２０】
［第２実施形態］
以下、本発明の第２実施形態に係る嵌め殺し窓１Ｂについて図７−１０を参照して説明する。
第２実施形態に係る嵌め殺し窓１Ｂは、前記嵌め殺し窓１と同じ窓枠２と、窓枠２の上枠２１、下枠２２に取り付けられる横押縁４０Ｃと、左右の縦枠２３に取り付けられる縦押縁４０Ｄと、押縁用接続部材５０とを備える。
横押縁４０Ｃおよび縦押縁４０Ｄは、前記第１実施形態の押縁４０と同じ断面形状の押出形材である。ただし、横押縁４０Ｃおよび縦押縁４０Ｄの長手方向の各端部は、長手方向に対して４５度に切断され、図７に示すように、嵌め殺し窓１Ｂを室外側から見た場合に、見付面部４３が台形形状となるように構成されている。このような構成は、図８にも示すように、横押縁４０Ｃおよび縦押縁４０Ｄの小口４３Ａ同士を突き合わせて接合する「留め」の納まりと同じである。
【００２１】
押縁用接続部材５０は、図８，９にも示すように、横押縁４０Ｃおよび縦押縁４０Ｄ間に配置される傾斜面板部５１と、横押縁４０Ｃの中空部４３５に圧入固定される固定片部５２と、縦押縁４０Ｄの中空部４３５に挿入される挿入部５３とを備える。押縁用接続部材５０は、押縁４０の外観色（フィルム４１１の色）と同色の部品である。
傾斜面板部５１は、押縁４０の見付面部４３の小口４３Ａの外周形状とほぼ同じ形状とされ、見付面部４３の小口４３Ａを被覆している。
固定片部５２は、傾斜面板部５１の横押縁４０Ｃ側の面から突設して設けられ、横押縁４０Ｃの中空部４３５に圧入されて固定されている。固定片部５２は、傾斜面板部５１から突設された挿入板部５２１と、傾斜面板部５１および挿入板部５２１から連続して形成された２つの補強片部５２５（図９参照）とを備えている。
【００２２】
挿入板部５２１は、圧入固定部５２２と、案内部５２３とを備える。圧入固定部５２２は、傾斜面板部５１に連続して形成され、中空部４３５の内面に圧接されて固定される部分である。具体的には、圧入固定部５２２は、表面部４３１に接触可能なように湾曲して形成され、湾曲方向（略上下方向）の寸法は中空部４３５の湾曲方向の寸法とほぼ同じとされ、圧入固定部５２２の上端、下端が、先端部４３４、基端部４３３に接触可能な寸法とされている。
案内部５２３は、表面部４３１の湾曲方向（略上下方向）に沿った幅寸法が小さくなるように上下両端が傾斜されている。また、案内部５２３は、肉厚（見込方向の寸法）が先端に向かうにしたがって小さくなり、表面部４３１から徐々に離れるように構成されている。
補強片部５２５も、圧入固定部５２６と、案内部５２７とを備える。圧入固定部５２６は、傾斜面板部５１に連続して形成され、圧入固定部５２２が表面部４３１に接触する際に、裏面部４３２に接触するように形成されている。
案内部５２７は、肉厚（湾曲方向の寸法）が先端に向かうにしたがって小さくなり、かつ、裏面部４３２に対向する面が裏面部４３２から徐々に離れるように傾斜されている。
このような構成により、挿入板部５２１および補強片部５２５の案内部５２３、５２７は、中空部４３５内に容易に挿入でき、圧入固定部５２２、５２６をスムーズに中空部４３５内に案内できる。そして、圧入固定部５２２が表面部４３１、基端部４３３、先端部４３４に圧接し、補強片部５２５が裏面部４３２に圧接するため、押縁用接続部材５０は、横押縁４０Ｃの中空部４３５に圧入によって固定できる。
【００２３】
挿入部５３は、縦押縁４０Ｄの中空部４３５に挿入可能に構成されている。ただし、挿入部５３は中空部４３５に圧入されるものではなく、傾斜面板部５１からの突出寸法は固定片部５２に比べて短くされ、上下方向の寸法も固定片部５２に比べて短くされている。
すなわち、挿入部５３は、図１０（Ａ）に示すように、縦押縁４０Ｄの小口４３Ａに対して、左右方向から中空部４３５に挿入できる寸法で形成されている。
【００２４】
次に、嵌め殺し窓１Ｂの組立手順について説明する。まず、上枠２１、下枠２２、縦枠２３の各小口を突き合わせて溶着などで固定して四周枠組みして窓枠２を組み立てる。そして、ガスケット２６を室内見付片部２５１に取り付ける。また、横押縁４０Ｃの左右の小口４３Ａに開口する中空部４３５に、押縁用接続部材５０の固定片部５２を挿入して圧入固定する。
次に、面材３を窓枠２内に配置し、横押縁４０Ｃを上枠２１および下枠２２に取り付け、縦押縁４０Ｄを縦枠２３に取り付ける。この際、縦押縁４０Ｄの上下方向の中間部を室外側に湾曲させることなどで、縦押縁４０Ｄの上下の小口４３Ａに開口する中空部４３５に、押縁用接続部材５０の挿入部５３を挿入しながら、縦押縁４０Ｄを縦枠２３に取り付ける。
これにより、図１０（Ａ）に示すように、横押縁４０Ｃおよび縦押縁４０Ｄの突き合わせ部（角隅部）には、押縁用接続部材５０が各押縁４０Ｃ，４０Ｄの中空部４３５に跨がって配置される。また、押縁用接続部材５０の傾斜面板部５１は、各押縁４０Ｃ，４０Ｄの小口４３Ａ間に挟まれて配置される。このため、傾斜面板部５１は、上枠２１、下枠２２と縦枠２３との小口の突き合わせ面の延長線上に配置される。
【００２５】
嵌め殺し窓１Ｂが設けられた環境で温度変化が生じたり、高温に曝されて押出時の残留応力の緩和が生じた場合でも、窓枠２は躯体に固定されているので、ほとんど伸縮しない。一方、各押縁４０Ｃ，４０Ｄは、窓枠２に係合されているだけであり、各枠２１〜２３に対してその長手方向の移動が規制されていないため、熱伸縮する。
ここで、各押縁４０Ｃ，４０Ｄが収縮した場合、図１０（Ｂ）に示すように、押縁用接続部材５０は、横押縁４０Ｃに圧入固定されているので、横押縁４０Ｃの縮み量だけ縦押縁４０Ｄから離れる方向（左右方向）に移動する。この際、押縁用接続部材５０の挿入部５３は、縦押縁４０Ｄの中空部４３５に挿入されているだけで固定されていないので、押縁用接続部材５０が縦押縁４０Ｄから離れる方向に移動することを許容する。このため、縦押縁４０Ｄの小口４３Ａも縦押縁４０Ｄの縮み量だけ横押縁４０Ｃから離れる方向（上下方向）に移動する。
したがって、各押縁４０Ｃ、４０Ｄの小口４３Ａ間に隙間が生じるが、この隙間部分には挿入部５３が配置され、挿入部５３が壁部として機能するので、隙間の大半を隠すことができる。
なお、環境温度が元に戻ることなどで各押縁４０Ｃ、４０Ｄが元の寸法に戻った場合は、挿入部５３は縦押縁４０Ｄの中空部４３５に挿入され、図１０（Ａ）の状態に戻る。
【００２６】
［第２実施形態の効果］
第２実施形態においても、前記第１実施形態と同様の作用効果を奏することができる。
すなわち、嵌め殺し窓１Ｂは、上枠２１、下枠２２と、左右の縦枠２３との接合部分を４５度の小口を突き合わせた留めの納まりとし、縦押縁４０Ｄおよび横押縁４０Ｃの接合部分も同様に、４５度の角度で切断した小口４３Ａ間に傾斜面板部５１を介在させた納まりとしたので、窓枠２と、横押縁４０Ｃおよび縦押縁４０Ｄの角部の納まりを共通にでき、意匠性を向上できる。
押縁用接続部材５０は、横押縁４０Ｃに固定され、縦押縁４０Ｄには固定されていないので、各押縁４０Ｃ，４０Ｄの収縮を押縁用接続部材５０が規制することがなく、押縁４０Ｃ，４０Ｄの収縮時に押縁４０Ｃ、４０Ｄが破損したり窓枠２から外れることを防止できる。
押縁用接続部材５０の挿入部５３は、各押縁４０Ｃ、４０Ｄが収縮した際に発生する隙間を隠す壁部として機能するため、押縁４０Ｃ，４０Ｄが収縮した際の隙間を目立たなくでき、この点でも意匠性を向上できる。
窓枠２において、短辺側である上枠２１および下枠２２に取り付けられる横押縁４０Ｃに押縁用接続部材５０を固定したので、横押縁４０Ｃ、縦押縁４０Ｄの収縮時に押縁用接続部材５０が移動する移動量を小さくできる。このため、窓枠２の上枠２１、下枠２２と縦枠２３との接合ラインに対し、押縁用接続部材５０の傾斜面板部５１の位置ずれを小さくでき、意匠低下を抑制できる。
押縁用接続部材５０の固定片部５２および挿入部５３を、各押縁４０Ｃ，４０Ｄの中空部４３５に挿入したので、各押縁４０Ｃ、４０Ｄの見込み方向の位置を揃えることができる。このため、各押縁４０Ｃ、４０Ｄの見付面部４３間の段差が生じず、この点でも意匠性を向上できる。
横押縁４０Ｃが収縮した場合、その小口４３Ａが露出すると、フィルム４１１と異なる素材の基材色が露出して意匠性が低下するが、本実施形態では、横押縁４０Ｃの小口４３Ａを押縁用接続部材５０で隠しているので、横押縁４０Ｃの小口４３Ａが露出することを防止でき、意匠性の低下を防止できる。
横押縁４０Ｃ、縦押縁４０Ｄの外観色と、押縁用接続部材５０の色とを同一にしたので、横押縁４０Ｃ、縦押縁４０Ｄ間に押縁用接続部材５０の傾斜面板部５１が介在されていても統一感のある押縁構造とすることができ、意匠性を向上できる。
押縁用接続部材５０は、横押縁４０Ｃに固定できるので、押縁用接続部材５０を窓枠２に取り付ける必要が無い。このため、横押縁４０Ｃ、縦押縁４０Ｄの取付作業性が低下することも防止できる。
【００２７】
［第３実施形態］
以下、本発明の第３実施形態に係る嵌め殺し窓１Ｃについて図１１、１２、１３を参照して説明する。嵌め殺し窓１Ｃは、前記第１実施形態の嵌め殺し窓１と同じ窓枠２（図示略）と、窓枠２の上枠２１、下枠２２に取り付けられる横押縁４０Ｅと、左右の縦枠２３に取り付けられる縦押縁４０Ｆと、押縁用接続部材７０とを備える。
縦押縁４０Ｆは、第１実施形態の縦押縁４０Ｂと同一部材である。横押縁４０Ｅは、第１実施形態の横押縁４０Ａと同じ断面形状の押出形材であるが、押縁用接続部材７０を取り付けるための構造が横押縁４０Ａと相違する。すなわち、横押縁４０Ｅの長手方向両端部の係合片部４２において、押縁用接続部材７０と干渉する部分は切り欠かれている。また、横押縁４０Ｅの両端部には、裏面部４３２と基端部４３３とに開口され、後述する押縁用接続部材７０の係止部７２が係止される係止溝４６が形成されている。
押縁用接続部材７０は、前記横押縁４０Ｅの小口４３Ｂに当接される当接部７１と、横押縁４０Ｅの係止溝４６に係止される係止部７２と、縦押縁４０Ｆの見付面部４３を覆う被覆部７３と、上枠２１、下枠２２に当接するベース部７４を備える。押縁用接続部材７０は、押縁４０Ｅ，４０Ｆの外観色と同色の部品である。
【００２８】
ベース部７４は、略矩形板状に形成され、上枠２１、下枠２２に対向する面（裏面）には、上枠２１、下枠２２の係合溝２５３に挿入可能な係合片部７４１が突設されている。ベース部７４の表面には、横押縁４０Ｅの基端部４３３が載置される段差部７４２が形成されている。
係止部７２は、ベース部７４に連続して設けられ、前記横押縁４０Ｅの係止溝４６に係止可能な形状で構成されている。押縁用接続部材７０は、係止部７２が係止溝４６に係止されることで、横押縁４０Ｅに対して左右方向に移動できないように係止される。
なお、第３実施形態では、係止溝４６は、横押縁４０Ｅの基端部４３３および裏面部４３２に連続して開口されている。なお、係止溝４６を基端部４３３のみに開口するように形成してもよい。
当接部７１は、横押縁４０Ｅの小口４３Ｂに当接され、横押縁４０Ｅが縦押縁４０Ｆの側面に突き合わされた場合に露出する部分を被覆している。本実施形態では、当接部７１の平面形状は略三角形状とされ、当接部７１の室外辺７１１は、表面部４３１の室外縁に沿って配置されている。
被覆部７３は、押縁用接続部材６０の被覆部６３と同様の構成であり、表面部７３１と、縦押縁４０Ｆの表面部４３１に沿って設けられる裏面部７３３とを備え、略三角錐形状とされている。
被覆部７３の表面部７３１は、横押縁４０Ｅの見付面部４３にほぼ連続するように設けられ、当接部７１に連続する辺（当接部７１の室外辺７１１と同じ）と、ベース部７４に連続する辺７３４と、これらの各辺７１１，７３４の端部を結ぶ斜辺７３５とを備える。この表面部７３１は、表面部６３１と同様に、直角二等辺三角形となるように形成され、斜辺７３５は、横押縁４０Ｅの長手方向（左右方向）に対する傾斜角度が４５度とされている。
【００２９】
次に、嵌め殺し窓１Ｃの組立手順について説明する。まず、嵌め殺し窓１と同様に、上枠２１、下枠２２、縦枠２３を四周枠組みして窓枠２を組み立て、ガスケット２６を室内見付片部２５１に取り付けておく。
次に、面材３を窓枠２内に配置し、押縁用接続部材７０、縦押縁４０Ｆ、横押縁４０Ｅを上枠２１、下枠２２、縦枠２３に取り付ける。まず、押縁用接続部材７０の係合片部７４１を、上枠２１、下枠２２の係合溝２５３に挿入して取り付け、さらに、縦押縁４０Ｂを縦枠２３に取り付ける。縦押縁４０Ｂの小口が押縁用接続部材７０のベース部７４に当接し、押縁用接続部材７０は上枠２１、下枠２２から脱落しないように仮固定される。
次に、横押縁４０Ｅを上枠２１、下枠２２に取り付け、押縁用接続部材７０の係止部７２を係止溝４６に係止する。これにより、横押縁４０Ｅの基端部４３３が押縁用接続部材７０の段差部７４２を押さえ、横押縁４０Ｅおよび押縁用接続部材７０が上枠２１、下枠２２に取り付けられる。
これにより、図１３（Ａ）に示すように、横押縁４０Ｅおよび縦押縁４０Ｆの突き合わせ部は、押縁用接続部材７０の被覆部７３によって隠され、被覆部７３の斜辺７３５が、上枠２１、下枠２２と、縦枠２３との突き合わせ面（４５度の接合線）の延長線上に位置する。
【００３０】
嵌め殺し窓１Ｃが設けられた環境で温度変化が生じたり、高温に曝されて押出時の残留応力の緩和が生じた場合でも、窓枠２は躯体に固定されているので、ほとんど伸縮しない。一方、各押縁４０Ｅ，４０Ｆは、窓枠２に係合されているだけであり、各枠２１〜２３に対してその長手方向の移動が規制されていないため、熱伸縮する。
ここで、各押縁４０Ｅ，４０Ｆが収縮した場合、図１３（Ｂ）に示すように、押縁用接続部材７０は、係止部７２が横押縁４０Ｅの係止溝４６に係止されて一体化されているので、横押縁４０Ｅが収縮すると、横押縁４０Ｅと共に移動して縦押縁４０Ｆから離れる。また、縦押縁４０Ｆの小口も縦押縁４０Ｆの縮み量だけ上枠２１、下枠２２から離れる方向（上下方向）に移動する。
このため、各押縁４０Ｅ、４０Ｆの間や、縦押縁４０Ｆと上枠２１、下枠２２との間に隙間が生じるが、この隙間部分には被覆部７３が配置され、被覆部７３が壁部として機能するので、隙間の大半を隠すことができる。なお、押縁４０Ｅ、４０Ｆが元の寸法に戻れば、図１３（Ａ）の状態に戻すことができる。
【００３１】
［第３実施形態の効果］
第３実施形態においても、前記第１実施形態と同様の作用効果を奏することができる。
すなわち、嵌め殺し窓１Ｃは、上枠２１、下枠２２と、左右の縦枠２３との接合部分を４５度の小口を突き合わせた留めの納まりとし、縦押縁４０Ｆおよび横押縁４０Ｅの接合部分に押縁用接続部材７０の斜辺７３５を配置したので、窓枠２と、横押縁４０Ｅおよび縦押縁４０Ｆの角部の納まりの外観を共通にでき、意匠性を向上できる。
押縁用接続部材７０は、横押縁４０Ｅに形成された係止溝４６に係止部７２を係止して取り付けているので、横押縁４０Ｅの小口４３Ｂの加工誤差や熱伸び等によって小口４３Ｂの大きさにばらつきが生じても、押縁用接続部材７０の取付けには影響しないので、押縁用接続部材７０を容易に取付けることができる。
押縁用接続部材７０は、横押縁４０Ｅに係合され、縦押縁４０Ｆには固定されていないので、各押縁４０Ｅ，４０Ｆの収縮を押縁用接続部材７０が規制することがなく、押縁４０Ｅ，４０Ｆの収縮時に押縁４０Ｅ、４０Ｆが破損したり窓枠２から外れることを防止できる。
押縁用接続部材７０の被覆部７３は、各押縁４０Ｅ、４０Ｆが収縮した際に発生する隙間を隠す壁部として機能するため、押縁４０Ｅ，４０Ｆが収縮した際の隙間を目立たなくでき、この点でも意匠性を向上できる。
窓枠２において、短辺側である上枠２１および下枠２２に取り付けられる横押縁４０Ｅに押縁用接続部材７０を係止したので、横押縁４０Ｅ、縦押縁４０Ｆの収縮時に押縁用接続部材７０が移動する移動量を小さくできる。このため、窓枠２の上枠２１、下枠２２と縦枠２３との接合ラインに対し、押縁用接続部材７０の斜辺７３５の位置ずれを小さくでき、意匠低下を抑制できる。
横押縁４０Ｅの小口４３Ｂを押縁用接続部材７０で隠しているので、横押縁４０Ｅの小口４３Ｂが露出することを防止でき、意匠性の低下を防止できる。押縁用接続部材７０は、横押縁４０Ｅに係止できるので、押縁用接続部材７０を窓枠２に取り付ける必要が無く、横押縁４０Ｅ、縦押縁４０Ｆの取付作業性の低下を防止できる。
【００３２】
［変形例］
本発明は、以上の実施形態で説明した構成のものに限定されず、本発明の目的を達成できる範囲での変形例は、本発明に含まれる。
押縁用接続部材５０、６０、７０は、上枠２１、下枠２２に取り付けられるものに限定されず、縦枠２３に取り付けてもよい。特に、建具が横長であり、上枠２１、下枠２２が長辺、縦枠２３が短辺の場合は、短辺である縦枠２３に押縁用接続部材５０、６０、７０を取り付けることが好ましい。
ただし、押縁用接続部材５０、６０、７０は、横押縁４０Ｃ、４０Ａ、４０Ｅの小口４３Ａ、４３Ｂが露出することを防止することができるため、上枠２１、下枠２２が長辺、縦枠２３が短辺の場合でも、横押縁４０Ｃ、４０Ａ、４０Ｅに押縁用接続部材５０、６０、７０を固定してもよい。
押縁用接続部材５０、６０、７０を押縁４０Ａ〜４０Ｆに固定する構造としては、固定片部５２、６２を圧入固定したり、係止部７２を係止溝４６に係止するものに限定されず、接着剤や溶着などで固定してもよい。ただし、固定片部５２、６２や係止部７２によって取り付けることができれば、組立作業を簡単にでき、かつ、押縁用接続部材５０、６０、７０が破損した場合に容易に交換できる利点がある。
前記各実施形態では、押縁４０Ａ〜４０Ｆは、面材３の室外側に配置される外押縁とされているが、内押縁として用いる場合にも押縁用接続部材５０、６０、７０を利用することができる。
【００３３】
窓枠２および押縁４０は合成樹脂製であればよく、その具体的な材質は、各部品に求められる機能などに応じて選択すればよい。
押縁４０Ａ〜４０Ｆは、ガスケット４５が押縁本体４１と別体とされていたが、二色成形などによって押縁本体４１およびガスケット４５を一体に形成してもよい。
前記各実施形態では、嵌め殺し窓１，１Ｂを建具として説明したが、押縁４０Ａ〜４０Ｆを用いる建具であれば、開き系、スライド系の窓やドア、戸であってもよい。
【００３４】
（まとめ）
押縁用接続部材は、縦押縁および横押縁の一方の押縁の小口を他方の押縁の側面に突き合わせた接続部に設けられる押縁用接続部材であって、前記一方の押縁の小口に当接される当接部と、前記一方の押縁の中空部に挿入されて固定される固定片部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
この押縁用接続部材によれば、縦押縁および横押縁の一方の押縁の小口に当接される当接部と、一方の押縁の中空部に挿入されて固定される固定片部と、他方の押縁の見付面を覆う被覆部とを備えるので、納まりで勝ち側の押縁（縦勝ちであれば縦押縁、横勝ちであれば横押縁）の見付面を被覆部で覆うことができる。この際、被覆部は一方の押縁に対して４５度に傾斜された斜辺を備えるため、縦押縁および横押縁の接合部分に４５度の斜辺が配置された外観となり、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりの意匠を共通化できて意匠性を向上できる。
また、押縁用接続部材の固定片部は一方の押縁に固定されるが、被覆部は他方の押縁の見付面を覆うだけで固定されていないので、各押縁が収縮した場合、押縁用接続部材は一方の押縁の収縮に伴い移動する。この際、押縁用接続部材の移動を、他方の押縁が規制することがないため、押縁の収縮時に押縁が破損したり建具枠から外れることも防止できる。
さらに、押縁用接続部材の被覆部は、各押縁が収縮した際に、各押縁間に生じる隙間を隠す壁部として機能するため、押縁が収縮した際の隙間を目立たなくでき、この点でも意匠性を向上できる。
【００３５】
押縁用接続部材は、長手方向の端部を４５度の角度で切断した小口に開口する中空部を備える縦押縁および横押縁の接続部に設けられる押縁用接続部材であって、前記縦押縁および前記横押縁の小口間に介在される傾斜面板部と、前記縦押縁および前記横押縁の一方の押縁の中空部に挿入されて固定される固定片部と、前記縦押縁および前記横押縁の他方の押縁の中空部に挿入される挿入部と、を備え、前記挿入部は、前記各押縁が収縮した際に、前記傾斜面板部と前記他方の押縁の小口との間に生じる隙間を隠す壁部として機能することを特徴とする。
この押縁用接続部材によれば、縦押縁および横押縁の長手方向の端部を４５度の角度で切断した小口間に介在される傾斜面板部と、一方の押縁の中空部に挿入されて固定される固定片部と、他方の押縁の中空部に挿入される挿入部とを備えるので、固定片部および挿入部は押縁内に挿入されて隠され、外部に露出するのは傾斜面板部のみとなる。このため、縦押縁および横押縁の４５度の小口間に傾斜面板部が配置された外観となり、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりを共通化できて意匠性を向上できる。
また、押縁用接続部材の固定片部は一方の押縁に固定されるが、挿入部は他方の押縁の中空部に挿入されるだけで固定されていないので、各押縁が収縮した場合、押縁用接続部材は一方の押縁の収縮に伴い移動する。この際、押縁用接続部材の移動を、他方の押縁が規制することがないため、押縁の収縮時に押縁が破損したり建具枠から外れることも防止できる。
さらに、押縁用接続部材の挿入部は、各押縁が収縮した際に、傾斜面板部と他方の押縁の小口との間に生じる隙間を隠す壁部として機能するため、押縁が収縮した際の隙間を目立たなくでき、この点でも意匠性を向上できる。
【００３６】
押縁用接続部材は、縦押縁および横押縁の一方の押縁の小口を他方の押縁の側面に突き合わせた接続部に設けられる押縁用接続部材であって、前記一方の押縁の小口に当接される当接部と、前記一方の押縁に形成された係止溝に係止される係止部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
この押縁用接続部材によれば、縦押縁および横押縁の一方の押縁の小口に当接される当接部と、一方の押縁の係止溝に挿入される挿入部と、他方の押縁の見付面を覆う被覆部とを備えるので、納まりで勝ち側の押縁（縦勝ちであれば縦押縁、横勝ちであれば横押縁）の見付面を被覆部で覆うことができる。この際、被覆部は一方の押縁に対して４５度に傾斜された斜辺を備えるため、縦押縁および横押縁の接合部分に４５度の斜辺が配置された外観となり、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりの意匠を共通化できて意匠性を向上できる。
また、押縁用接続部材の固定片部は一方の押縁に固定されるが、被覆部は他方の押縁の見付面を覆うだけで固定されていないので、各押縁が収縮した場合、押縁用接続部材は一方の押縁の収縮に伴い移動する。この際、押縁用接続部材の移動を、他方の押縁が規制することがないため、押縁の収縮時に押縁が破損したり建具枠から外れることも防止できる。
さらに、押縁用接続部材の被覆部は、各押縁が収縮した際に、各押縁間に生じる隙間を隠す壁部として機能するため、押縁が収縮した際の隙間を目立たなくでき、この点でも意匠性を向上できる。
【００３７】
建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、一方の押縁の小口を他方の押縁の側面に突き合わせて接続され、前記押縁用接続部材は、前記一方の押縁の小口に当接される当接部と、前記一方の押縁の中空部に挿入されて固定される固定片部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
この建具によれば、前述した押縁用接続部材を備えるため、同じ作用効果を奏することができる。すなわち、納まりで勝ち側の押縁の見付面を被覆部で覆うことができ、被覆部は各枠の小口の突き合わせ面の延長線上に配置される斜辺を備えるため、縦押縁および横押縁の接合部分に４５度の斜辺が配置された外観となり、建具枠と押縁の角部の納まりの外観を共通化できて意匠性を向上できる。また、押縁用接続部材は、他方の押縁に対して移動可能であるため、各押縁の収縮時に押縁が破損したり建具枠から外れることも防止できる。さらに、押縁用接続部材の被覆部は、各押縁が収縮した際に、各押縁間に生じる隙間を隠す壁部として機能するため、押縁が収縮した際の隙間を目立たなくでき、この点でも意匠性を向上できる。
【００３８】
建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、長手方向の端部の小口は長手方向に対して４５度の角度で切断され、前記押縁用接続部材は、前記縦押縁および前記横押縁の小口間に介在される傾斜面板部と、前記縦押縁および前記横押縁の一方の押縁の中空部に挿入して固定される固定片部と、前記縦押縁および前記横押縁の他方の押縁の中空部に挿入される挿入部と、を備え、前記挿入部は、前記各押縁が収縮した際に、前記傾斜面板部と前記他方の押縁の小口との間に生じる隙間を隠す壁部として機能することを特徴とする。
この建具によれば、前述した押縁用接続部材を備えるため、同じ作用効果を奏することができる。すなわち、縦押縁および横押縁の４５度の小口間に傾斜面板部が配置された外観にでき、枠材を４５度に切断した小口同士を溶着する留めの納まりとした建具枠と同じ納まりにできて、意匠性を向上できる。また、押縁用接続部材は、他方の押縁に対して移動可能であるため、各押縁の収縮時に押縁が破損したり建具枠から外れることも防止できる。さらに、押縁用接続部材の挿入部は、各押縁が収縮した際に、傾斜面板部と他方の押縁の小口との間に生じる隙間を隠す壁部として機能するため、押縁が収縮した際の隙間を目立たなくでき、この点でも意匠性を向上できる。
【００３９】
建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、一方の押縁の小口を他方の押縁の側面に突き合わせて接続され、前記押縁用接続部材は、前記一方の押縁の小口に当接される当接部と、前記一方の押縁に形成された係止溝に係止される係止部と、前記他方の押縁の見付面を覆う被覆部と、を備え、前記被覆部は、前記一方の押縁の長手方向に対する傾斜角度が４５度である斜辺を備え、前記各押縁が収縮した際に、前記各押縁間に生じる隙間を隠す壁部として機能することを特徴とする。
この建具によれば、前述した押縁用接続部材を備えるため、同じ作用効果を奏することができる。すなわち、納まりで勝ち側の押縁の見付面を被覆部で覆うことができ、被覆部は各枠の小口の突き合わせ面の延長線上に配置される斜辺を備えるため、縦押縁および横押縁の接合部分に４５度の斜辺が配置された外観となり、建具枠と押縁の角部の納まりの外観を共通化できて意匠性を向上できる。また、押縁用接続部材は、他方の押縁に対して移動可能であるため、各押縁の収縮時に押縁が破損したり建具枠から外れることも防止できる。さらに、押縁用接続部材の被覆部は、各押縁が収縮した際に、各押縁間に生じる隙間を隠す壁部として機能するため、押縁が収縮した際の隙間を目立たなくでき、この点でも意匠性を向上できる。
【００４０】
建具において、前記縦押縁および前記横押縁は長手方向の長さ寸法が異なり、前記押縁用接続部材は、前記縦押縁および前記横押縁のうち、長手方向の長さ寸法が短い押縁に取り付けられることが好ましい。
温度変化などによる収縮量は、押縁の長さ寸法に比例し、長手方向の長さ寸法が大きいほど収縮量も大きくなる。したがって、押縁用接続部材を長手方向の寸法が短い押縁に取り付ければ、押縁用接続部材の移動量を小さくできる。このため、建具枠の接合ラインに対し、押縁用接続部材の傾斜面板部や斜辺の位置ずれを小さくでき、意匠性の低下を抑制できる。
【符号の説明】
【００４１】
１、１Ｂ…嵌め殺し窓（建具）、２…窓枠、２１…上枠、２２…下枠、２３…縦枠、３…面材、４０…押縁、４０Ａ…横押縁、４０Ｂ…縦押縁、４０Ｃ…横押縁、４０Ｄ…縦押縁、４１…押縁本体、４２…係合片部、４３…見付面部、４３１…表面部、４３２…裏面部、４３３…基端部、４３４…先端部、４３５…中空部、４３Ａ…小口、４３Ｂ…小口、４４…装着部、５０…押縁用接続部材、５１…傾斜面板部、５２…固定片部、５３…挿入部、６０…押縁用接続部材、６１…当接部、６１１…室外辺、６１２…底辺、６１３…室内辺、６２…固定片部、６３…被覆部、６３１…表面部、６３２…底面部、６３３…裏面部、６３５…斜辺、７０…押縁用接続部材、７１…当接部、７１１…室外辺、７１３…段差部、７２…挿入部、７３…被覆部、７３１…表面部、７３３…裏面部、７３５…斜辺。
【図１】
2020020133.tif 000003
【図２】
2020020133.tif 000004
【図３】
2020020133.tif 000005
【図４】
2020020133.tif 000006
【図５】
2020020133.tif 000007
【図６】
2020020133.tif 000008
【図７】
2020020133.tif 000009
【図８】
2020020133.tif 000010
【図９】
2020020133.tif 000011
【図１０】
2020020133.tif 000012
【図１１】
2020020133.tif 000013
【図１２】
2020020133.tif 000014
【図１３】
2020020133.tif 000015